(57)【要約】【課題】プラスイオン及びマイナスイオンの濃度のバランスを改善することができるイオン発生装置を提供する。【解決手段】ケース１の中央部には、ファン３を設けてある。ファン３は、回転軸方向に立設した複数の羽板３０を備える。吹出口１１〜１４は、矩形状をなし、長手方向の寸法は、電極部４１２、４１３の離隔寸法より長い。吹出口１１〜１４の内側には、電極部４１２及び電極部４１３の間に相当する位置に両方の電極部４１２及び電極部４１３での風量を同等にするための風量調整部としての板状の抑制部材６１、６２、６３、６４を設けある。【選択図】図５
2013104600.tif 000002
【特許請求の範囲】
【請求項１】
取入口から取り入れた空気を吹出口から吹き出すためのファンと、該吹出口の内側に設けられ、正イオン及び負イオンを発生する複数の電極が離隔配置されたイオン発生ユニットとを備えるイオン発生装置において、
前記複数の電極での風量を同等にするための風量調整部を備えることを特徴とするイオン発生装置。
【請求項２】
前記吹出口は、
前記複数の電極間の離隔寸法より長く、
前記風量調整部は、
前記吹出口の内側で前記複数の電極間に設けられ、一の電極への風量を抑制する抑制部材であることを特徴とする請求項１に記載のイオン発生装置。
【請求項３】
前記吹出口と連通し略同寸法の長さ寸法を有し、前記ファンが送出する空気を前記複数の電極へ導くための導入口を設けてあり、
前記ファンは、
他の電極から前記一の電極へ向かう方向に沿って前記導入口に空気を流入させるようにしてあり、
前記抑制部材は、
前記導入口から流入する空気の一部を遮って、前記一の電極への風量を抑制するように構成してあることを特徴とする請求項２に記載のイオン発生装置。
【請求項４】
前記ファンの風量を直接又は間接に検出する検出部と、
該検出部で検出した風量の多少に応じて、前記抑制部材による抑制範囲を小大に変更する変更部と
を備えることを特徴とする請求項２又は請求項３に記載のイオン発生装置。
【発明の詳細な説明】
【技術分野】
【０００１】
本発明は、イオンを発生させるイオン発生装置に関する。
【背景技術】
【０００２】
従来、脱臭作用や除菌作用を有する液体から霧を発生させ、ファンを用いて発生させた気流によって霧を室内に拡散させることにより、室内の壁面等の脱臭や除菌をすることが可能な空気清浄機が実用化されている。
【０００３】
例えば、空気吸引口から空気を吸い込み、イオン発生部で発生したイオンを含んだ空気を複数の空気吹出口から吹き出すイオン発生装置が開示されている（特許文献１参照）。
【０００４】
このようなイオン発生装置では、複数の空気吹出口それぞれにイオン発生部を設けている。イオン発生部は、例えば、略直方体のケースに収納されており、空気の通流方向と交差する方向に離隔してプラスイオン及びマイナスイオンをそれぞれ発生する電極部を備える。
【先行技術文献】
【特許文献】
【０００５】
【特許文献１】特開２０１０−２９５５３号公報
【発明の概要】
【発明が解決しようとする課題】
【０００６】
特許文献１のようなイオン発生装置では、１つの吹出口の内側にプラスイオン及びマイナスイオンを発生する電極部を離隔して配置してあるが、ファンから送出される空気の吹出口内での流れる方向（風向）によっては、それぞれの電極部付近の風量が異なる。このため、吹出口から放出されるプラスイオンとマイナスイオンとの濃度がアンバランスになる場合があった。
【０００７】
本発明は斯かる事情に鑑みてなされたものであり、プラスイオン及びマイナスイオンの濃度のバランスを改善することができるイオン発生装置を提供することを目的とする。
【課題を解決するための手段】
【０００８】
本発明に係るイオン発生装置は、取入口から取り入れた空気を吹出口から吹き出すためのファンと、該吹出口の内側に設けられ、正イオン及び負イオンを発生する複数の電極が離隔配置されたイオン発生ユニットとを備えるイオン発生装置において、前記複数の電極での風量を同等にするための風量調整部を備えることを特徴とする。
【０００９】
本発明にあっては、正イオン及び負イオンを発生する複数の電極が離隔配置されたイオン発生ユニットを吹出口の内側に設けてあり、風量調整部は、当該複数の電極での風量を同等にする。正イオンを発生する電極での風量と負イオンを発生する電極での風量とを同等にすることにより、吹出口から放出される正イオン及び負イオンの濃度のバランスを改善することができる。
【００１０】
本発明に係るイオン発生装置は、前記吹出口は、前記複数の電極間の離隔寸法より長く、前記風量調整部は、前記吹出口の内側で前記複数の電極間に設けられ、一の電極への風量を抑制する抑制部材であることを特徴とする。
【００１１】
本発明にあっては、吹出口は、複数の電極間の離隔寸法より長い。風量調整部は、吹出口の内側で複数の電極間に設けられ、一の電極への風量を抑制する抑制部材である。抑制部材は、吹出口の内側を流れる空気の一部を遮るような適宜の寸法（面積）を有する板状部材とすることができる。例えば、ファンから送出される空気の吹出口内での流れる方向（風向）によって、負イオンを発生する電極での風量が正イオンを発生する電極での風量より多い場合には、両方の電極間に設けられた抑制部材により、負イオンを発生する電極への風量を少なくするとともに、正イオンを発生する電極への風量を多くする。これにより、正イオンを発生する電極での風量と負イオンを発生する電極での風量とを同等にすることができる。
【００１２】
本発明に係るイオン発生装置は、前記吹出口と連通し略同寸法の長さ寸法を有し、前記ファンが送出する空気を前記複数の電極へ導くための導入口を設けてあり、前記ファンは、他の電極から前記一の電極へ向かう方向に沿って前記導入口に空気を流入させるようにしてあり、前記抑制部材は、前記導入口から流入する空気の一部を遮って、前記一の電極への風量を抑制するように構成してあることを特徴とする。
【００１３】
本発明にあっては、吹出口と連通し当該吹出口と略同寸法の長さ寸法を有し、ファンが送出する空気を吹出口の内側に設けられた複数の電極へ導くための導入口を設けてある。すなわち、ファンから送出された空気は導入口に流入し吹出口の内側を通って吹出口から吹き出す。ファンは、他の電極から一の電極へ向かう方向に沿って導入口に空気を流入させる。すなわち、ファンにより送出される空気が導入口に流入する際に、他の電極から一の電極へ向かう方向に沿って流入するので、導入口から流入する空気の量（風量）は、一の電極の方が他の電極の方よりも多くなる。つまり、吹出口の内側では、他の電極での風量よりも一の電極での風量が多くなる。抑制部材は、導入口から流入する空気の一部を遮って、一の電極への風量を抑制する。すなわち、抑制部材は、導入口から流入する空気の一部を遮ることにより、一の電極の方へ流れる空気が他の電極の方に流れるようにする。これにより、正イオンを発生する電極での風量と負イオンを発生する電極での風量とを同等にすることができる。
【００１４】
本発明に係るイオン発生装置は、前記ファンの風量を直接又は間接に検出する検出部と、該検出部で検出した風量の多少に応じて、前記抑制部材による抑制範囲を小大に変更する変更部とを備えることを特徴とする。
【００１５】
本発明にあっては、検出部は、ファンの風量を直接又は間接に検出する。例えば、検出部で風量を直接検出してもよく、あるいは風量と相関関係があるファンの回転数を検出することにより風量を間接的に検出することもできる。変更部は、検出した風量の多少に応じて、抑制部材による抑制範囲を小大に変更する。例えば、抑制部材を２つの板状部材で構成し、一方を固定し、他方をジョイント部材で摺動可能にする。ジョイント部材で他方の板状部材を一方の板状部材に沿って摺動して、抑制部材の全体としての寸法（抑制範囲）を変更できるようする。そして、抑制範囲は、例えば、他方の板状部材を高さ方向に沿って摺動する場合には、高さ寸法の高低により抑制範囲を大小にする。
【００１６】
例えば、ファンにより送出される空気が導入口に流入する際に、他の電極から一の電極へ向かう方向に沿って流入する場合に、抑制部材で導入口から流入する空気の一部を遮って、一の電極への風量を抑制するとする。この場合に、ファンの回転数を上げて風量を増加させたとき、一の電極の方へ流れる空気を他の電極の方に流れるようにする抑制部材が存在することにより、却って他の電極での風量が多くなってしまうので、抑制部材の高さを低くすることにより、一の電極の方に空気が流れやすくすることで、両電極での風量をバランスさせる。また、ファンの回転数を下げて風量を減少させたとき、他の電極での風量が少なくなってしまうので、抑制部材の高さを高くすることにより、一の電極の方に空気が流れにくくすることで、他の電極での風量を増やし、両電極での風量をバランスさせる。これにより、ファンの回転数又は風量を変化させた場合であっても、正イオンを発生する電極での風量と負イオンを発生する電極での風量とを同等にすることができる。
【発明の効果】
【００１７】
本発明によれば、吹出口から放出される正イオン及び負イオンの濃度のバランスを改善することができる。
【図面の簡単な説明】
【００１８】
【図１】本実施の形態のイオン発生装置のルーバを閉じた状態の構成の一例を示す外観斜視図である。
【図２】本実施の形態のイオン発生装置のルーバを開いた状態の構成の一例を示す外観斜視図である。
【図３】本実施の形態のイオン発生装置の内部構成の一例を示す斜視図である。
【図４】本実施の形態のイオン発生ユニットの一例を示す外観斜視図である。
【図５】本実施の形態のイオン発生装置の内部構成の一例を示す平面図である。
【図６】本実施の形態のイオン発生装置の内部構成の一例を示す側面図である。
【図７】本実施の形態のイオン発生装置の吹出口の内側の構成の一例を示す要部の断面図である。
【図８】比較例として抑制部材を具備しない場合の風量の様子を示す模式図である。
【図９】本実施の形態の抑制部材を具備する場合の風量の様子を示す模式図である。
【図１０】本実施の形態のイオン発生装置の吹出口の内側の構成の他の例を示す要部の断面図である。
【図１１】イオン濃度測定のための測定箇所を示す説明図である。
【図１２】本実施の形態のイオン発生装置によるイオン濃度の測定結果の一例を示す説明図である。
【発明を実施するための形態】
【００１９】
以下、本発明をその実施の形態を示す図面に基づいて説明する。図１は本実施の形態のイオン発生装置１００のルーバを閉じた状態の構成の一例を示す外観斜視図であり、図２は本実施の形態のイオン発生装置１００のルーバを開いた状態の構成の一例を示す外観斜視図であり、図３は本実施の形態のイオン発生装置１００の内部構成の一例を示す斜視図である。イオン発生装置１００は、一面が開口した箱状のケース１、ケース１の開口面に装着される矩形状のパネル２などを備える。
【００２０】
ケース１を天井面などの取付面に設けた開口内に収容することにより、取付面にパネル２を取り付ける。イオン発生装置１００を天井に設置した状態では、取付面からパネル２が露出した形となり、イオン発生装置１００は、いわゆる天井埋込型のイオン発生装置である。
【００２１】
パネル２は、中央部に矩形状の空気の取入口１０を設けてあり、取入口１０を設けた箇所の高さ寸法（厚み寸法）が大きく、パネル２の中央部から周部に向かって高さ寸法が小さくなるようにパネル２の表面（前面）を取入口１０の面に対して傾斜させてある。
【００２２】
パネル２の周縁部には、矩形状の空気の吹出口１１、１２、１３、１４を設けてある。また、それぞれの吹出口１１〜１４には、風向調整板であるルーバ２１、２２、２３、２４を設けてある。
【００２３】
ルーバ２１〜２４は、吹出口１１〜１４と略同寸法を有する矩形状をなす。ルーバ２１〜２４は、パネル２の周縁部と反対側の吹出口１１〜１４の縁部に沿った軸回りに回動可能に設けられている。ルーバ２１〜２４の回動動作は、ルーバ制御回路（不図示）により制御される。ルーバ２１〜２４を閉じることにより、吹出口１１〜１４はルーバ２１〜２４で覆われる。また、ルーバ２１〜２４を適宜の角度（例えば、取入口１０の面に対する角度）で開くことにより、吹出口１１〜１４から吹き出されるイオンを含む空気は、ルーバ２１〜２４の内側面に当たって風向を調整することができる。また、吹出口１１〜１４から吹き出されるイオンを含む空気は、パネル２の中央部から周縁部へ向かう方向に吹き出すことができる。
【００２４】
吹出口１１〜１４の近傍には、それぞれの吹出口１１〜１４に対応させて表示部としてのＬＥＤ３１、３２、３３、３４を設けてある。ＬＥＤ３１〜３４は、例えば、取入口１０の周縁部と各吹出口１１〜１４の端部との間に設けることができる。ＬＥＤ３１〜３４は、吹出口１１〜１４固有の異常や点検等を通知することができる。
【００２５】
ＬＥＤ３１〜３４には、点灯時の光で、例えば、ルーバ２１〜２４の外側面の所望の領域を照らすことができるように導光部材（不図示）を設けることもできる。これにより、ルーバ２１〜２４の開閉状態に関わらず、ルーバ２１〜２４の外側表面の所望の領域を光らせることができ、外部からの視認性を高めることができる。
【００２６】
パネル２の前面には、異常の発生を報知する報知部としてのＬＥＤランプ、リモートコントロール等の外部装置から所定の信号を取得する取得部としての受光部などを備える表示パネル２５を設けてある。
【００２７】
例えば、表示パネル２５は、複数のＬＥＤランプを備え、イオン発生装置１００が運転状態であることを示すＬＥＤランプ（運転ランプ）、イオン発生ユニットの交換を知らせるためのＬＥＤランプ、イオン発生ユニット等の異常を報知するためのＬＥＤランプ、イオン発生ユニット又はフィルタ（不図示）等の清掃を通知するためのＬＥＤランプなどを備える。
【００２８】
図２又は図３に示すように、それぞれの吹出口１１〜１４の内側には、イオン発生ユニット４１、４２、４３、４４を装着している。
【００２９】
図４は本実施の形態のイオン発生ユニット４１の一例を示す外観斜視図である。なお、他のイオン発生ユニット４２〜４４もイオン発生ユニット４１と同等であるので、以下では、イオン発生ユニット４１について説明する。
【００３０】
イオン発生ユニット４１は、箱状の収容部４１１を備え、収容部４１１には、正イオン及び負イオンを発生する電極としての電極部４１３、４１２を備えたイオン発生部、イオンセンサ４１４などを収容している。
【００３１】
イオン発生部は、矩形状の板状体であり、一方の端部近傍にマイナスイオンを発生させる電極部４１２を設けてあり、他方の端部近傍にプラスイオンを発生させる電極部４１３を設けてある。
【００３２】
収容部４１１の一側端部には、イオン発生ユニット４１を機械的及び電気的に接続するためのコネクタ４１５を備える。また、収容部４１１の一側端部には、イオン発生ユニット４１をケース１に固定するためのねじ部４１６を設けてある。
【００３３】
イオン発生ユニット４１は、空気中の水蒸気をプラズマ放電によりイオン化することにより、プラスイオンとしてのＨ+ （Ｈ2 Ｏ）n （ｎは任意の自然数）と、マイナスイオンとしてのＯ2 - （Ｈ2 Ｏ）m （ｍは任意の自然数）とを発生する。そして、これらが化学反応することにより、活性種である過酸化水素（Ｈ2 Ｏ2 ）及び／又は水酸基ラジカル（ＯＨ）が生成され、空気中の浮遊細菌や浮遊ウィルス等が除去される。
【００３４】
これにより、それぞれの吹出口１１〜１４は、独立にプラスイオンを含む空気、及びマイナスイオンを含む空気を吹き出すことができ、イオン発生装置１００から吹き出した空気中のプラスイオンとマイナスイオンとが直ちに中和することを防止できる。そして、イオンの中和を防止することにより、イオンの拡散性を向上させることができる。
【００３５】
図５は本実施の形態のイオン発生装置１００の内部構成の一例を示す平面図であり、図６は本実施の形態のイオン発生装置１００の内部構成の一例を示す側面図である。図５はパネル２を取り外した状態を示す。また、図６は吹出口１４の内側の要部断面を示す。
【００３６】
図５に示すように、ケース１の中央部には、ファン３を設けてある。ファン３は、いわゆるターボファンであり、回転軸方向に立設した複数の羽板３０を備える。羽板３０は、ファン３の周方向に沿って傾斜させてある。すなわち、ファン３の回転軸から羽板３０の両端部までの半径方向に沿った距離が異なり、ファン３を符号Ａで示す方向に回転させることにより、羽板３０が空気を外側に押し出すようにしてある。ファン３が回転することにより、取入口１０から空気が取り込まれ、取り込まれた空気は、ファン３の内側から羽板３０により外側（径方向外側）に向かって送出され、吹出口１１〜１４からイオンを含んだ状態で放出される。
【００３７】
図５に示すように、吹出口１１〜１４は、矩形状をなし、長手方向の寸法は、電極部４１２、４１３の離隔寸法より長い。吹出口１１〜１４の内側には、電極部４１２及び電極部４１３の間に相当する位置に両方の電極部４１２及び電極部４１３での風量を同等にするための風量調整部としての板状の抑制部材６１、６２、６３、６４を設けてある。
【００３８】
抑制部材６１〜６４は、例えば、矩形状の板状であって、吹出口１１〜１４の短手方向の寸法より短い幅を有するとともに、ファン３の羽板３０の高さ寸法より短い高さを有する。抑制部材６１〜６４は、ケース１の側面に当接するとともに、羽板３０の回転軌道から適長離隔した態様で設けられている。
【００３９】
図６は吹出口１４の内側の要部構成が分かるように一部破断の断面の様子を示す。図６において、符号７４は導入口である。導入口７４は、吹出口１４と連通し、吹出口１４と略同寸法の長さを有するとともに、ファン３の羽板３０の高さと略同寸法の高さを有する。導入口７４は、ファン３が送出する空気を電極部４１２及び電極部４１３へ導くためのものである。なお、他の吹出口１１〜１３に対応して、導入口７４の他に３つの導入口を具備するが、当該３つの導入口の構成は導入口７４と同様であるので、以下では導入口７４について説明する。
【００４０】
図６において、符号３０で示す羽板には、便宜上模様を付して他の箇所と区別できるようにしてある。また、符号Ａは、ファン３、すなわち羽板３０の回転方向を示す。
【００４１】
ファン３から送出された空気は導入口７４に流入し吹出口１４の内側を通って吹出口１４から吹き出す。ファン３は、電極部４１３から電極部４１２へ向かう方向に沿って導入口７４に空気を流入させる。すなわち、抑制部材６４を具備しない場合、ファン３により送出される空気が導入口７４に流入する際に、電極部４１３から電極部４１２へ向かう方向に沿って流入するので、導入口７４から流入する空気の量（風量）は、電極部４１２の方が電極部４１３の方よりも多くなる。つまり、吹出口１４の内側では、電極部４１３での風量よりも電極部４１２での風量が多くなる。
【００４２】
抑制部材６４は、導入口７４から流入する空気の一部を遮って、電極部４１２への風量を抑制する。すなわち、抑制部材６４は、導入口７４から流入する空気の一部を遮ることにより、電極部４１２の方へ流れる空気が電極部４１３の方に流れるようにする。
【００４３】
図７は本実施の形態のイオン発生装置１００の吹出口１４の内側の構成の一例を示す要部の断面図である。図７は吹出口１４の内側での抑制部材６４の配置の一例を示す。吹出口１４の内側は、略直方体の空間を有し、当該略直方体の一面が吹出口１４であり、当該一面と交差する他面に吹出口１４と連通する導入口７４を設けてある。略直方体の残りの他の面はケース１等の部材で構成され、吹出口１４を除いて空気が外部へ流出することはない。
【００４４】
図７に示すように、ファン３の回転により羽板３０で押し出された空気は導入口７４へ流入する。導入口７４から流入した空気の一部は、吹出口１４の内側を通って吹出口１４から吹き出される。一方、導入口７４から流入した空気の一部は、抑制部材６４に当たることにより、電極部４１２の方に流れるのを抑制され、電極部４１３の方に流れて吹出口１４から吹き出される。
【００４５】
このように、正イオン及び負イオンを発生する複数の電極部４１３、４１２が離隔配置されたイオン発生ユニット４４を吹出口１４の内側に設けてあり、風量調整部としての抑制部材６４は、導入口７４から流入する空気の量（風量）が、電極部４１２の方に多く流れるのを抑制して、電極部４１３、４１２での風量を同等にする。正イオンを発生する電極部４１３での風量と負イオンを発生する電極部４１２での風量とを同等にすることにより、吹出口１４から放出される正イオン及び負イオンの濃度のバランスを改善することができる。
【００４６】
抑制部材６４は、吹出口１４の内側を流れる空気の一部を遮るような適宜の寸法（面積）を有する。ファン３から送出される空気の導入口７４（吹出口１４内）での流れる方向（風向）によって、負イオンを発生する電極部４１２での風量が正イオンを発生する電極部４１３での風量より多い場合には、両方の電極部４１２、４１３の間に設けられた抑制部材６４により、負イオンを発生する電極部４１２への風量を少なくするとともに、正イオンを発生する電極部４１３への風量を多くすることができる。これにより、正イオンを発生する電極部４１３での風量と負イオンを発生する電極部４１２での風量とを同等にすることができる。
【００４７】
図８は比較例として抑制部材６４を具備しない場合の風量の様子を示す模式図であり、図９は本実施の形態の抑制部材６４を具備する場合の風量の様子を示す模式図である。図８に示すように、抑制部材６４を具備しない場合、羽板３０により符号Ｂで示す方向に送出された空気は、電極部４１３から電極部４１２の方向に沿って導入口７４に流入する。吹出口１４の内側は、導入口７４を除いてケース等の部材で略直方体状に囲まれた空間をなすため、吹出口１４の内側では、電極部４１３での風量（符号Ｃで示す）よりも電極部４１２での風量（符号Ｄで示す）が多くなり、抑制部材６４を具備しない状態では、正イオンの濃度と負イオンの濃度とはアンバランスとなる。
【００４８】
一方、図９に示すように、抑制部材６４を具備する場合には、電極部４１３から電極部４１２の方へ向かって流れる空気の一部を抑制部材６４で抑制することができるので、吹出口１４の内側では、電極部４１３での風量（符号Ｃで示す）と電極部４１２での風量（符号Ｄで示す）とが同程度となる。このため、抑制部材６４を具備する場合は、正イオンの濃度と負イオンの濃度とは同程度にすることができる。
【００４９】
上述の例では、抑制部材６４の抑制範囲を可変する構成ではないが、例えば、ファン３の風量又は回転数に応じて抑制範囲を可変とすることができる。以下、この点について説明する。
【００５０】
図１０は本実施の形態のイオン発生装置１００の吹出口１４の内側の構成の他の例を示す要部の断面図である。図１０に示すように、ファン回転数検出部５１は、ファン３の回転数を検出する。なお、ファン３の回転数に代えてファン３の風量を検出するようにしてもよい。すなわち、ファン３による風量を直接検出してもよく、あるいは風量と相関関係があるファン３の回転数を検出することにより風量を間接的に検出することもできる。
【００５１】
高さ変更部５２は、検出した風量の多少（回転数の高低）に応じて、抑制部材６４による抑制範囲を小大に変更する。図１０に示すように、例えば、抑制部材６４を２つの板状部材６４１、６４２で構成し、一方の板状部材６４２を固定し、他方の板状部材６４１をジョイント部材６４３で摺動可能にする。ジョイント部材６４３で板状部材６４２を板状部材６４１に沿って摺動して、抑制部材６４の全体としての寸法（抑制範囲）を変更できるようする。図１０の例では、抑制範囲は、板状部材６４２を高さ方向に沿って摺動することにより、高さ寸法の高低により抑制範囲を大小にする。
【００５２】
そして、上述のように、ファン３により送出される空気が導入口７４に流入する際に、電極部４１３から電極部４１２へ向かう方向に沿って流入する場合に、抑制部材６４により導入口７４から流入する空気の一部を遮って、電極部４１２への風量を抑制するとする。この場合に、ファン３の回転数を上げて風量を増加させたとき、電極部４１２の方へ流れる空気を電極部４１３の方に流れるようにする抑制部材６４が存在することにより、却って電極部４１３での風量が多くなってしまうので、抑制部材６４の高さを低くすることにより、電極部４１２の方に空気が流れやすくすることで、両電極部４１２、４１３での風量をバランスさせる。
【００５３】
また、ファン３の回転数を下げて風量を減少させたとき、電極部４１３での風量が少なくなってしまうので、抑制部材６４の高さを高くすることにより、電極部４１３での風量を多くして、両電極部４１２、４１３での風量をバランスさせる。これにより、ファンの回転数又は風量を変化させた場合であっても、正イオンを発生する電極部４１３での風量と負イオンを発生する電極部４１２での風量とを同等にすることができる。
【００５４】
次に、本実施の形態のイオン発生装置１００によるイオン濃度の測定結果について説明する。図１１はイオン濃度測定のための測定箇所を示す説明図であり、図１２は本実施の形態のイオン発生装置１００によるイオン濃度の測定結果の一例を示す説明図である。
【００５５】
図１１に示すように、天井に取り付けられたイオン発生装置の中央から横方向（水平方向）に１．６５ｍだけ離れ、床面から１．２ｍの高さの位置をイオン濃度の測定箇所とした。図１２において、横軸は抑制部材の高さ寸法であり、縦軸はプラスイオンの濃度に対するマイナスイオンの濃度のイオン比率であり、比率１の場合は、プラスイオンの濃度とマイナスイオンの濃度とが等しい。
【００５６】
図１２に示すように、抑制部材を具備しない場合には、イオン比率は、１．８１（１立方ｍ当たりのプラスイオン濃度が１０４５００個であり、マイナスイオン濃度が１８９０００個）である。図中直線のグラフで示すように、風量が中程度（大、中、小の３モード）の場合、抑制部材の高さが８０ｍｍの場合、イオン比率は１．４９（１立方ｍ当たりのプラスイオン濃度が７８０００個であり、マイナスイオン濃度が１１６０００個）である。また、抑制部材の高さが１１０ｍｍの場合、イオン比率は０．６９（１立方ｍ当たりのプラスイオン濃度が１４００００個であり、マイナスイオン濃度が９６５００個）である。従って、風量が中の場合、抑制部材の高さを９８〜９９ｍｍ程度にすることにより、イオン比率を１とすることができる。
【００５７】
また、図１２中破線の直線で示すように、風量が大となった場合には、抑制部材の高さを低くすることにより、イオン比率を１とすることができ、逆に風量が小となった場合には、抑制部材の高さを高くすることにより、イオン比率を１とすることができる。
【００５８】
上述の実施の形態では、イオン発生ユニット及び吹出口を複数備える構成であったが、これに限定されるものではなく、イオン発生ユニット及び吹出口は１つであってもよい。
【符号の説明】
【００５９】
１  ケース
２  パネル
３  ファン
３０  羽板
１０  取入口
１１、１２、１３、１４  吹出口
２１、２２、２３、２４  ルーバ
４１、４２、４３、４４  イオン発生ユニット
４１２  電極部（一の電極）
４１３  電極部（他の電極）
５１  ファン回転数検出部（検出部）
５２  高さ変更部（変更部）
６１、６２、６３、６４  抑制部材（風量調整部）
７４  導入口
６４１、６４２  板状部材
６４３  ジョイント部材
【図１】
2013104600.tif 000003
【図２】
2013104600.tif 000004
【図３】
2013104600.tif 000005
【図４】
2013104600.tif 000006
【図５】
2013104600.tif 000007
【図６】
2013104600.tif 000008
【図７】
2013104600.tif 000009
【図８】
2013104600.tif 000010
【図９】
2013104600.tif 000011
【図１０】
2013104600.tif 000012
【図１１】
2013104600.tif 000013
【図１２】
2013104600.tif 000014